(57)【特許請求の範囲】
【請求項１】
同じコンテンツを複数の配信経路により並行して受信端末に配信するデジタル放送用コンテンツ配信局であって、
前記コンテンツのオーディオ信号を複数のサブバンドフィルタによってフィルタし、そのフィルタしたサブバンドごとの信号をそれぞれ量子化して量子化サブバンド信号を生成する手段と、
あらかじめ定められたサブバンドの組み合わせ情報に基づき、互いに異なる組み合わせのサブバンドの前記量子化サブバンド信号を用いて、互いに品質が異なる複数のビットストリームを生成する手段と、
前記生成したビットストリームについて、そのビットストリームによって配信されるコンテンツを識別するコンテンツＩＤ、そのビットストリームを配信する配信経路、及び、そのビットストリームを生成する際に用いたサブバンドの組み合わせの情報を対応付けた情報をプログレシブ配信情報として生成する手段と、
前記生成したプログレシブ配信情報を前記受信端末へ配信しておき、その後、前記コンテンツの互いに品質が異なる複数のビットストリームを、前記生成したプログレシブ配信情報によって指定される互いに異なる配信経路により並行して前記受信端末へ配信する配信手段と、
を備えたこと
を特徴とするデジタル放送用コンテンツ配信局。
【請求項２】
前記配信手段は、前記コンテンツの互いに品質が異なる複数のビットストリームを配信する場合、品質が高いビットストリームを、衛星デジタル放送及び地上波デジタル放送のうちの少なくとも一方の放送を介して配信し、品質が劣るビットストリームを、携帯電話を介して配信すること
を特徴とする請求項１に記載のデジタル放送用コンテンツ配信局。
【請求項３】
同じコンテンツを複数の配信経路により並行して受信端末に配信するデジタル放送用コンテンツ配信局におけるコンテンツ配信方法であって、
前記デジタル放送用コンテンツ配信局が、
前記コンテンツのオーディオ信号を複数のサブバンドフィルタによってフィルタし、そのフィルタしたサブバンドごとの信号をそれぞれ量子化して量子化サブバンド信号を生成し、
あらかじめ定められたサブバンドの組み合わせ情報に基づき、互いに異なる組み合わせのサブバンドの前記量子化サブバンド信号を用いて、互いに品質が異なる複数のビットストリームを生成し、
前記生成したビットストリームについて、そのビットストリームによって配信されるコンテンツを識別するコンテンツＩＤ、そのビットストリームを配信する配信経路、及び、そのビットストリームを生成する際に用いたサブバンドの組み合わせの情報を対応付けた情報をプログレシブ配信情報として生成し、
前記生成したプログレシブ配信情報を前記受信端末へ配信しておき、その後、前記コンテンツの互いに品質が異なる複数のビットストリームを、前記生成したプログレシブ配信情報によって指定される互いに異なる配信経路により並行して前記受信端末へ配信すること
を特徴とするコンテンツ配信方法。
【請求項４】
前記デジタル放送用コンテンツ配信局は、
前記コンテンツの互いに品質が異なる複数のビットストリームを配信する場合、品質が高いビットストリームを、衛星デジタル放送及び地上波デジタル放送のうちの少なくとも一方の放送を介して配信し、品質が劣るビットストリームを、携帯電話を介して配信すること
を特徴とする請求項３に記載のコンテンツ配信方法。
【発明の詳細な説明】
【０００１】
【発明の属する技術分野】
本発明は、同じコンテンツを複数の配信経路により並行して受信端末に配信するデジタル放送用コンテンツ配信局及びコンテンツ配信方法に関する。
【０００２】
【従来の技術】
自動車等の移動体に対して、地上波や、衛星波を用いてオーディオコンテンツを配信するデジタル放送サービスが提唱されている。特に、衛星波によるデジタル放送サービスは、広範囲をカバーできること、及び、単位時間あたりに伝送できる情報量が大きいことから、次世代の放送手段として注目されている。
【０００３】
【発明が解決しようとする課題】
しかしながら、移動体における電波の受信状況はその移動体の周囲の環境に影響を受け易く、移動途中のトンネルの中や、歩道橋の下等において、衛星波の強度が低下して一時的に受信状態が悪くなることがある。ここで、デジタル放送におけるこのような受信障害の発生は、データそのものの欠落を意味するので、出力中のオーディオコンテンツの音声が途切れる、いわゆる瞬断の原因となる。このようにデジタル放送特有の現象である瞬断は、ユーザ（聴取者）に不快感を与えるので好ましくない。特に、移動体が自動車であり、走行中に瞬断が発生した場合は、運転手に受信チャンネルの切替操作等を強いる原因になる。
従って、本発明は、デジタル放送の受信中に音声が途切れることにより聴取者に及ぼす負荷を防止することを目的とする。
【０００４】
【課題を解決するための手段】
前記の課題を解決する手段は、移動体に搭載された受信端末にオーディオコンテンツを配信するデジタル放送システムに使用されるコンテンツ配信局（デジタル放送用コンテンツ配信局）であって、オーディオコンテンツから品質の異なるビットストリームを生成する構成とした。このようにして生成されたビットストリームは情報量に合わせて、異なる配信経路から配信されるので、電波の状態によらずに、オーディオコンテンツを確実に受信端末に配信することができる。
また、このようなデジタル放送システムに使用される受信端末（デジタル放送用受信端末）であって、複数の配信経路に対応した受信機を備え、データに欠落が発生した場合や、電波の受信が困難な場合に、受信経路を切り替える構成とした。データの欠落が発生した際に、異なる配信経路から受信したビットストリームで補完することにより、一時的な音切れである瞬断の発生を防止することができる。
【０００５】
【発明の実施の形態】
本発明の実施形態について図面を参照しながら詳細に説明する。
図１の全体構成図に示すように、本実施形態におけるデジタル放送システムは、コンテンツ配信局１（デジタル放送用コンテンツ配信局）においてオーディオコンテンツから品質の異なる二種類のビットストリームＡ，Ｂを生成し、それぞれに適した第一伝送帯域、及び、第二伝送帯域を用いてサイマル（同時）放送して、移動体である自動車２の受信端末３（デジタル放送用受信端末）で受信、再生させるものである。本実施形態における配信経路は、高品質のビットストリームＡ（第一のビットストリーム）の配信経路である地上波デジタル放送、及び、長楕円軌道（ＨＥＯ）衛星を用いた衛星デジタル放送と、相対的に低品質のビットストリームＢ（第二のビットストリーム）の配信経路である携帯電話の三種類であり、受信端末３において、異なる配信経路からのビットストリームＡ，Ｂを相互に補完させることにより一時的な音切れである瞬断の発生を防止している。
なお、衛星デジタル放送に使用されるＨＥＯ衛星は、３機の衛星を地球の自転に合わせて切り替えながら運用することで衛星を常に天頂位置に配することができる。従って、自動車２に搭載されている受信端末３に対して電波が途切れ難く、本実施形態の配信経路としては最適である。しかしながら、本発明はＨＥＯ衛星に限定されずに、静止衛星や、その他の軌道衛星を用いても良い。
【０００６】
（コンテンツ配信局）
まず、コンテンツ配信局１の構成について図２から図９を用いて説明する。
図２の構成図に示すようにコンテンツ配信局１は、音声を含むオーディオコンテンツを入力するオーディオ入力部４と、オーディオコンテンツをエンコードするオーディオエンコード部５と、エンコード後のコンテンツを配信するにあたり、ＡＡＣ（Advance Audio Coding）等のエンコード方式を指定するエンコード方式指定部６、適切な配信経路を選択する配信経路選択部７、及び、配信のための処理を行う配信処理部８とを有している。また、コンテンツ配信局１は、記憶手段を有し、入力したオーディオコンテンツであるオーディオコンテンツソース９ａ、エンコード後のオーディオコンテンツであるサブバンドプロファイル別コンテンツ９ｂと、エンコードや配信に関する情報をまとめたプログレシブ配信テーブル９ｃ、及び、サブバンドプロファイル定義テーブル９ｄが記憶されている。さらに、記憶手段には、チャンネルごとの放送内容をリストにしたチャンネルリスト９ｅも記憶可能に構成されている。
【０００７】
このようなコンテンツ配信局１の構成要素であるオーディオエンコード部５について、図３及び図４を参照して、さらに詳細に説明する。
図３及び図４に示すように、オーディオエンコード部５は、入力されたオーディオコンテンツを四つのサブバンド信号に帯域分割するサブバンドフィルタバンク５１と、サブバンド信号を量子化する量子化器５２を有している。
量子化のために行われる動的ビットの割り当ては、動的ビット割り当て部５３により行われ、割り当てに際してはスケールファクタ抽出部５４でスケールファクタを抽出してダイナミックレンジをそろえると共に、心理聴覚モデル５５に基づく重み付けが行われている。
【０００８】
量子化された各サブバンド信号は、ビットストリーム生成部５６に渡され、ＣＲＣ（Cyclic Redundancy Check、巡回冗長検査）データが付加される。このようにして生成された帯域（サブバンド信号）ごとのビットストリームは、サブバンドプロファイル合成部５７に送られ、サブバンドプロファイル制御部５８により決定された組み合わせに従って結合される。さらに、音声パケットヘッダ生成部５９により先頭に音声パケットヘッダが付与されると、図１に示すビットストリームＡや、ビットストリームＢとなる。
【０００９】
さらに、オーディオエンコード部５がビットストリームＡ、及び、ビットストリームＢを生成する過程を図４の概念図を参照して説明する。
まず、サブバンドフィルタバンク５１は、異なる周波数特性を有する四つのフィルタｆ１、フィルタｆ２、フィルタｆ３、フィルタｆ４を有しており、それぞれのフィルタｆ１〜ｆ２を用いてオーディオコンテンツソースをフィルタリングすることにより、周波数帯域の異なるサブバンド信号ＳＢ１、サブバンド信号ＳＢ２、サブバンド信号ＳＢ３、サブバンド信号ＳＢ４を抽出する。抽出されたサブバンド信号ＳＢ１〜４は、量子化器５２において独立に量子化される。このようにして量子化されたサブバンド信号のうち、全てのサブバンド信号ＳＢ１〜４を含むビットストリームを作成すると高品質のビットストリームＡが生成される。また、サブバンド信号ＳＢ２のみからなるビットストリームを作成すると、相対的に低品質のビットストリームＢが生成される。
【００１０】
なお、ビットストリームＡ，Ｂのそれぞれに含まれるサブバンド信号ＳＢ１〜４の組み合わせは図４に限定されるものではなく、自動車２の種類や、オーディオコンテンツの種類によって適宜選択される。例えば、自動車２の種類によって異なるビットストリームＡ，Ｂを生成する場合としては、高品質なオーディオコンテンツが要望されることが多い普通自動車向けには全てのサブバンド信号ＳＢ１〜４を含め、大型自動車向けには多少音質が劣っても受信し易いように３つのサブバンド信号を含める。また、オーディオコンテンツの種類による場合は、クラシック音楽は高品質であることが望ましいので、全てのサブバンド信号ＳＢ１〜４を含め、ポップスは中間の周波数帯のパワーが大きいので、このような周波数帯域を中心とするサブバンド信号を組み合わせたりする。これらの場合においては、データの量が相対的に多いほうをビットストリームＡとし、データ量が相対的に少ないほうをビットストリームＢとする。
【００１１】
このようにして生成されたビットストリームＡ、及び、ビットストリームＢは、それぞれ図５（ａ）、及び、図５（ｂ）に示すような構成である。
ビットストリームＡは、先頭に音声パケットヘッダが付与されており、サブバンドプロファイルＩＤ（例えば０ｘ０１が割り当てられている）の後にはサブバンド信号ＳＢ１に対応するビットストリーム、サブバンド信号ＳＢ２に対応するビットストリーム、サブバンド信号ＳＢ３に対応するビットストリーム、及び、サブバンド信号ＳＢ４に対応するビットストリームが続き、以降、この順番で連続している。
ビットストリームＢは、先頭に音声パケットヘッダが付与されており、サブバンドプロファイルＩＤ（例えば０ｘ０２が割り当てられている）の後は、サブバンド信号ＳＢ２に対応するビットストリームが連続している。
なお、ビットストリームＡ，Ｂには図示しないＣＲＣデータが含まれている。
【００１２】
さらに、図６に示すように音声パケットヘッダの構成は、同期ビット、オーディオコンテンツに対してユニークに割り当てられるコンテンツＩＤ、著作権保護のためのコピーライト有無フラグ、受信端末側で再生する際に参照される圧縮方式、サンプリング周波数、ビットレート、チャンネル設定、フレーム長、及び、バイトアライメントとからなる。
【００１３】
また、記憶手段に記憶されているプログレシブ配信テーブル９ｃの構成について図７を用いて説明する。
プログレシブ配信テーブル９ｃは、コンテンツＩＤごとに、曲名等のデータがリストアップされたものである。
ここで、曲名、作曲者名、サブバンド編集者は、受信端末３においてコンテンツ情報として表示される。サブバンドプロファイルＩＤは、ビットストリームＡ，Ｂに含まれるサブバンド信号１〜４を特定するために用いられ、再生可否フラグは、配信経路選択部７における配信経路の選択や、受信端末３に選局の可否を知らしめるためのデータである。また、配信経路の項目は、このようなビットストリームＡ，Ｂが配信される経路をテキストデータとして記載したものである。
【００１４】
サブバンドプロファイルＩＤは、図８に示すサブバンドプロファイル定義テーブル９ｂにより一義的に定義されている。図８には、サブバンドプロファイルＩＤとして０ｘ０１、０ｘ０２、０ｘ０３、０ｘ０４の四種類に対して、それぞれのサブバンド信号の組み合わせを定義すると共に、その用途がテキスト表示されている。ここで、差分コンテンツとは、主に受信端末３における補完用に用いられることを意味する。
【００１５】
さらに、チャンネルリスト９ｅの構成について図９を用いて説明する。
チャンネルリスト９ｅは、音声パケットヘッドに含まれるチャンネル番号ごとに、そのチャンネルの名前（チャンネル名）、及び、そのチャンネル番号で配信可能な配信経路がテーブルにまとめられている。例えば、チャンネル番号「９００」は、ミュージックワールド放送であり、地上波及び衛星波並びに携帯電話による配信が可能であることがわかる。
【００１６】
次に、このようなコンテンツ配信局１において行われる処理は、図１０から図１２のフローチャートに従って行われており、これらについて以下に説明する。
【００１７】
（エンコード）
オーディオコンテンツのエンコードを図１０に示すフローチャート、及び、図２から図４を用いて説明する。
まず、ステップＳ１として、エンコードするオーディオコンテンツについてのサブバンドプロファイル定義テーブル９ｄを作成し、ステップＳ２においてエンコード方式指定部６にサブバンドプロファイル定義テーブル９ｄを読み取らせる。
【００１８】
次に、ステップＳ３でＣＤ，ＤＶＤなどのオーディオコンテンツソースに記憶されているオーディオコンテンツがオーディオ入力部４からデータ入力され、ステップＳ４においてデータ入力されたオーディオコンテンツがオーディオエンコード部５に渡され、オーディオエンコード部５においてエンコード処理が開始される。
最初にステップＳ５として、オーディオコンテンツに対して周波数帯域ごとのフィルタリングが行われるが、ここで用いられるフィルタは、図３に示すようなサブバンドフィルタバンク５１に登録されているものである。
そして、フィルタリングにより作成されたサブバンド信号ＳＢ１〜４からは、ステップＳ６においてスケールファクタが抽出され、オーディオエンコード部５が予め保持している心理聴覚モデルに基づいて動的にビット割り当てが行われる。さらに、ステップＳ７において、ビット割り当てに応じてサブバンド信号ＳＢ１〜４ごとに量子化が行われる。
【００１９】
これにより、ステップＳ８として各サブバンドごとにビットストリームが形成され、サブバンドプロファイル合成部５７に渡される。ステップＳ９として、これと同時に、若しくは、これに前後してサブバンドプロファイル合成部５７には、サブバンドプロファイル制御部５８からビットストリームの合成方式が通知される。
これらのデータを受けたサブバンドプロファイル合成部５７は、ステップＳ１０において、配信用のビットストリームを生成する。例えば、図４に示すように、四つのサブバンド信号ＳＢ１〜４の全てを含むような高品質のビットストリームＡと、中間の周波数帯のサブバンド信号ＳＢ２のみからなる低品質のビットストリームＢとが生成される。
【００２０】
ステップＳ１１では生成されたビットストリームＡ，Ｂに音声パケットヘッド生成部５９において生成された音声パケットヘッダがそれぞれ付与される。この音声パケットヘッダには、前記のように、エンコード方式指定部６により設定された情報等が含まれている。
そして、ステップＳ１２として、生成したビットストリームＡ，Ｂをサブバンドプロファイル別コンテンツ９ｂとして記録手段に格納すると、オーディオコンテンツのエンコード処理が終了する。
【００２１】
（コンテンツの配信）
前記のようにエンコードして生成させたサブバンドプロファイル別コンテンツを配信する手順について、図１、図２、及び、図１１を用いて説明する。
まず、ステップＳ２１として、プログレシブ配信テーブル９ｃを作成し、ステップＳ２２で配信経路選択部７に読み込ませる。ステップＳ２３において配信経路選択部７は、プログレシブ配信テーブル９ｃ中の配信経路の項目に従って配信経路を選択すると共に、ステップＳ２４で配信するサブバンドプロファイル別コンテンツ９ｂを読み取る。
【００２２】
ここで、配信経路が地上波デジタル放送である場合には、ステップＳ２５からＹＥＳに進み、ステップＳ２６として、配信処理部８が該当するサブバンドプロファイル別コンテンツ９ｂを地上波デジタル放送施設に送出する。
一方、配信経路が地上波デジタル放送でない場合には、ステップＳ２５からＮＯに進み、ステップＳ２７において配信経路が衛星デジタル放送であるか否かを判断する。該当するサブバンドプロファイル別コンテンツ９ｂの配信経路が衛星デジタル放送である場合は、ＹＥＳに進み、ステップＳ２８として、配信処理部８が該当するサブバンドプロファイル別コンテンツ９ｂを衛星デジタル放送アップリンク施設に送出する。
【００２３】
さらに配信経路が地上波デジタル放送でもない場合は、ステップＳ２７からＮＯに進み、ステップＳ２９において配信経路が携帯電話であるか否かを判断する。該当するサブバンドプロファイル別コンテンツ９ｂの配信経路が携帯電話システムを活用したものである場合は、ＹＥＳに進み、ステップＳ３０として、配信処理部８が、該当するサブバンドプロファイル別コンテンツ９を携帯電話基地局に配信する。配信経路が携帯電話システムを活用したものでもない場合には、ステップＳ２４に戻り、前記の処理を繰り返す。
なお、各配信経路に載るようにサブバンドプロファイル別コンテンツ９ｂを送出した後は、ステップＳ２４に戻り、次のサブバンドプロファイル別コンテンツ９ｂを送出のための処理を行う。
【００２４】
（テーブルの配信）
コンテンツ配信局１は、図７に示すプログレシブ配信テーブル９ｃや、図８に示すチャンネルリスト９ｅを、それぞれ、所定時間の間隔を置いて繰り返し受信端末３に向けて配信している。このようなテーブルの配信処理について図１２のフローチャートを用いて説明する。
まず、ステップＳ３１でプログレシブ配信テーブル９ｃを地上波デジタル放送施設、衛星デジタル放送アップリンク施設、及び、携帯電話基地局に配信する。続いて、ステップＳ３２において、同様にしてチャンネルリスト９ｅを配信する。
ここで、ステップＳ３３においてインターバル（Ｗａｉｔ）を取り、所定時間経過後（ステップＳ３４においてＹＥＳ）に、再び、プログレシブ配信テーブル９ｃの配信（ステップＳ３１）、チャンネルリスト９ｅの配信（ステップＳ３２）が行われる。
【００２５】
このようなコンテンツ配信局１は、ある特定のオーディオコンテンツを周波数をパラメータとして帯域分割してエンコードする際に、帯域分割により生成されるサブバンド信号ＳＢ１〜２の組み合わせを制御することにより、異なる品質のビットストリームＡ，Ｂを生成し、これを同時に配信させるので、受信端末の種類や、周囲の環境によらず、オーディオコンテンツを確実に配信することができる。
また、ビットストリームＡ，Ｂの音声パケットヘッダに、ビットストリームＡ，Ｂの生成過程で使用したフィルタｆ１〜ｆ４の組み合わせに関する情報であるサブバンドプロファイルＩＤを含めたり、サブバンドプロファイルＩＤと使用しているサブバンド信号ＳＢ１〜４に関するテーブルであるサブプロファイル定義テーブル９ｂを配信したりすることで、受信端末３において異なる品質のビットストリームＡ，Ｂのデコードを確実に行わせることが可能になっている。
さらに、プログレシブ配信テーブル９ｃとして、曲名等のテキストデータや、配信経路と、その配信経路における配信の有無を知らしめる再生可否フラグを受信端末３に配信することで、ユーザにオーディオコンテンツに関する情報を与えたり、配信経路の選択を容易に行わせたりすることができる。
【００２６】
（受信端末）
次に、このような放送システムにおいて、複数の配信経路を通じて配信されるコンテンツを受信する受信端末の構成について図１、及び、図１３から図２１を用いて説明する。
図１に示すように、受信端末３は、移動体２である自動車に搭載され、コンテンツ配信局１で生成され、配信されるビットストリームＡ、ビットストリームＢを地上波デジタル放送、及び、衛星デジタル放送から受信したり、携帯電話で受信したりすることのできる端末である。このように異なる品質のビットストリームＡ，Ｂを異なる配信経路から受信可能に構成したのは、この受信端末３は移動体２に搭載されており、その移動中にビル等の影響により受信電波の電界強度が小さくなり受信障害が発生することがあるので、その都度最適な配信経路を選択して音切れの発生を防止するためである。
【００２７】
図１３に示すように、受信端末３の構成は、それぞれの配信経路に対応して、地上波デジタル受信機１１、衛星波デジタル受信機１２、携帯電話受信機１３とを備え、その各々における電波の受信状態を識別する受信状態識別手段１４と、電波の受信状態及び／又はユーザの選択により受信機１１〜１３を選択する受信機選択部１５を有している。受信機選択部１５で選択された受信機で受信したビットストリームＡ，Ｂであるサブバンドプロファイル別コンテンツ９ｂは、オーディオデコード部１６においてデコードされてから音声信号出力部１７を経てスピーカ１８から出力される。また、サブバンドプロファイル別コンテンツ９ｂに付随されているテキストデータの一部は、映像信号出力部１９を経て表示部２０に表示される。ユーザによる受信機１１〜１３の選択や、チャンネルの選局は、入出力インターフェイス部２１の操作に基づいて、受信データ取得部２２やチャンネル選択部２３により行われる。さらに、受信端末３は、記憶手段を有し、受信したプログレシブ配信テーブル２４ｃと、チャンネルリスト２４ｅと、サブバンドプロファイル定義テーブル２４ｄとをそれぞれ蓄積可能に構成されている。
【００２８】
受信機１１〜１３の選択のために電波の受信状態を識別する受信状態識別手段１４は、受信機１１〜１３ごとに、受信している電波の電界強度を測定する受信状態測定部１４ａ，１４ｂ，１４ｃと、配信経路ごとに異なる出力で発振されている電波の電界強度どうしを比較するために、その強度を正規化する受信状態正規化部１４ｄ，１４ｅ，１４ｆとから構成されている。受信状態識別手段１４で識別された各受信機１１〜１３の受信状態は、受信状態表示制御部２５により処理され、ユーザが容易に認識できるように表示部２０に表示される。なお、受信状態識別手段１４は、各受信機１１〜１３に対して一つの受信状態測定部及び受信状態正規化部を備える構成であっても良い。
【００２９】
図１４のブロック図に示すように、受信端末３のオーディオデコード部１６は、受信した電波を復調して得られるビットストリームＡ，Ｂから、オーディオデータを復号するために設けられており、最初に音声パケットヘッダ解析部３１で、音声パケットヘッダに含まれる各種情報を解析し、続くサブバンドプロファイル分離部３２で、サブバンド信号ＳＢ１〜ＳＢ４ごとのビットストリームを抽出する。抽出したビットストリームは、ビットストリーム解析部３３で解析され、スケールファクタ複合３４でスケールファクタが復号された後に、逆量子化器３５で数値情報に変換され、サブバンドフィルタバンク３６に渡される。このサブバンドフィルタバンク３６は、サブバンドプロファイル制御部３７から取得したフィルタｆ１〜ｆ４の組み合わせに関する情報に基づいてオーディオデータを再現する。再現されたオーディオデータは、図１３の音声信号出力部１７に渡される。
【００３０】
また、受信端末３の表示部２０、及び、入出力インターフェイス部２１の一例を図１５から図２１に示す。
図１５に示すように表示部２０は、中央部分に配設された液晶モニタ４１であり、入出力インターフェイス部２１は、液晶モニタ４１の側部に沿って配列された矢印キー４２ａ，４２ｂや、決定キー４３、設定キー４４、電源ボタン４５、並びに、電源ボタン４５の上部にアラーム警告等のために設けられたＬＥＤ４６から構成されている。なお、液晶モニタ４１がタッチパネルとして機能する場合には、液晶モニタ４１も入出力インターフェイス部２１に含まれる。
【００３１】
図１５において液晶モニタ４１には、チャンネルリスト２４ｅに含まれる文字情報を表示した選局リスト４７ａと、配信経路ごとの受信状態を知らせる受信状態表示アイコン４８，４９，５０が表示されている。このうち、受信状態表示アイコン４８は地上波デジタル放送（地上波ＤＴＶ）に対応し、受信状態表示アイコン４９は衛星デジタル放送（衛星ＤＴＶ）に、受信状態表示アイコン５０は携帯電話にそれぞれ対応している。
ここでは、選局リスト４７ａに掲げられている選択可能な５つの放送のうち、太枠で表示されている「ミュージックワールド放送」が選局されており、その配信経路は、太枠で表示されている受信状態表示アイコン４９が示す衛星デジタル放送である。衛星デジタル放送の受信状態表示アイコン４９は、受信電波の電界強度を模式的に、かつ、段階的に示すバー４９ａが三本表示されていることから、受信状態は良好であることもわかる。
【００３２】
さらに、図１６に示すように、選局リスト４７ａで「民謡放送」を選択した場合に、この番組の衛星デジタル放送が行われていないときは、地上波デジタル放送の受信状態表示アイコン４８と、携帯電話の受信状態表示アイコン５０のみが表示され、衛星デジタル放送の受信状態表示アイコン４９が消灯する（図１６には破線で示してある）。
【００３３】
また、図１７は、設定キー４４を操作することにより表示される設定画面である。ここでは、受信状態通知設定ダイアログ４７ｂが表示されており、例えば、設定項目名の「ＬＥＤ点滅表示」は、警告が必要な場合にＬＥＤ４６を点滅させるか否かを設定し、設定項目名が「ダイアログ表示」であれば、アラームを画面表示するか否かを設定する。受信機３の選択を含む全ての選択は、選択項目を上方向に移動させる矢印キー４２ａ、下方向に移動させる矢印キー４２ｂ、及び、決定キー４３、及び／又は、液晶モニタ４１画面の該当箇所に指を触れることにより行う。
【００３４】
この表示部２０には、受信端末３が出力しているオーディオコンテンツに関する情報を表示させることも可能である。例えば、図１８のように地上波デジタル放送でクラシック音楽放送を聴取している際に液晶モニタ４１に表示される情報としては、図１９に示すような、その楽曲に関するテキスト情報４７ｃや、イメージ画像４７ｄがあげられる。
【００３５】
また、電波の電界強度の変化に伴い、図１３の受信機１１〜１３が切り替わると、表示部２０の表示も変化する。例えば、図１９において地上波デジタル放送でクラシック音楽を受信中に、電波の受信状態が悪くなり、地上波デジタル放送から衛星デジタル放送に切り替える場合には、図２０に示すように、地上波デジタル放送の受信状態表示アイコン４８のバー４８ａの数の減少に伴い、受信を示す強調表示が、地上波デジタル放送の受信状態表示アイコン４８から衛星波デジタル放送の受信状態表示アイコン４９に切り替わる。なお、強調表示とは、ハイライト表示や、枠が赤色等、他の部分と異なる色彩に変化することを言い、該当する受信状態表示アイコン４８〜５０の大きさや、外径が変化することも含むものとする。
【００３６】
さらに、衛星波デジタル放送の電波の受信状態も悪くなると、品質は劣るが安定性が高い携帯電話による受信に切り替わることがある。この場合には、図２１に示すような、警告表示４７ｅがなされたり、その旨が音声で出力されたり、ＬＥＤ４６が点滅したりする。これらの警告は、前記の設定画面における設定に基づくものであり、設定によっては、少なくとも一つが実行されることもあるし、全く実行されない場合もある。
【００３７】
このような受信機１１〜１３の切り替えは、図１３に示す受信状態識別手段１４及び受信機選択部１５により自動的に行われることもあるし、ユーザが矢印キー４２ａ，４２ｂを操作したり、受信状態表示アイコン４８，４９，５０に触れることで行うこともできる。なお、自動切り替えの場合については、後に詳細に説明する。また、前記の説明において、受信状態表示アイコン４８〜５０が表示部２０に表示されている状態が第一の表示であり、強調表示が第二の表示に相当する。
【００３８】
このような受信端末における各種の処理は、図２２から図２６のフローチャートに従って行われており、これらについて以下に説明する。
【００３９】
（受信端末の起動）
受信端末３の起動時に行われる処理について図１３、図１５及び図２２を用いて説明する。
まず、ステップＳ４１で電源ボタン４５が押されると、ステップＳ４２で各受信機１１〜１３や、周辺機器の初期化が行われる。
初期化が終了したら、ステップＳ４３でチャンネルリスト２４ｅをコンテンツ配信局１から取得し、続くステップＳ４４で、前に取得し、記憶手段に保持されているチャンネルリスト２４ｅと、新しく取得したチャンネルリスト２４ｅが同じであるか否かを比較する。
【００４０】
両者が異なる場合（ステップＳ４４でＮＯ）には、ステップＳ４５に進み、記憶手段のチャンネルリスト２４ｅを新しく置き替えた後に、選局リスト４７ａを画面表示させる。
一方、両者が同一である場合（ステップＳ４４でＹＥＳ）には、ステップＳ４６において、保持されているチャンネルリスト２４ｅを用いて選局リスト４７ａを画面表示させる。
【００４１】
どちらの場合も画面表示を行ったら、ステップＳ４７に進んで、受信状態識別手段１４においてチャンネルごとに各受信機１１〜１３の受信状態をチェックし、チェック結果に応じたアイコン表示を受信状態表示制御部２５がステップＳ４８で行う。
前記の処理が終了したら、ステップＳ４９のユーザからの入力待ちに移行し、起動時の処理が終了する。
【００４２】
（設定の変更）
受信端末３の設定変更について、図１７及び図２３を用いて説明する。
設定の変更は、まず、ステップＳ５１で受信端末３の入出力インターフェイス部２１の設定ボタン４４を押すことにより始まる。設定ボタン４４が押されると、ステップＳ５２で液晶モニタ４１に受信状態通知設定ダイアログ４７ｂが表示されるので、ステップＳ５３としてユーザは矢印キー４２ａ，４２ｂを押して各種の表示設定項目を選択する。選択された表示設定項目は強調表示によりユーザが視覚的に認識できるようになっている。
【００４３】
表示設定項目は、決定ボタン４３を押すことで「ＹＥＳ」と「ＮＯ」とを切り替えることができる。従って、ステップＳ５４で選択した表示設定項目を決定ボタン４３で切り替えてから、ステップＳ５５で設定ボタン４４を再度、押して受信状態通知設定ダイアログ４７ｂを閉じて、設定の変更を終了する。
【００４４】
（選局）
ユーザによるチャンネルの選局は、図１５及び図２４に従って行われている。
まず、選局は、ステップＳ６１の起動後の入力待ち状態から、ステップＳ６２としてユーザが矢印キー４２ａ，４２ｂで各種チャンネル項目を選択して、選局リスト４７ａを画面表示させることから始まる。ここで、起動後の入力待ち状態とは、受信端末３を図２２のフローチャートに従って起動させ、必要に応じて図２３に示す設定変更を行った後の状態を言う。
【００４５】
ステップＳ６３において、受信端末３は、選局リスト４７ａに表示されているチャンネルのそれぞれに対して、地上波デジタル放送、衛星デジタル放送、形態電話のそれぞれの受信機１１〜１３の受信状態をチェックする。そして、ステップＳ６４でチェックした受信状態に応じて、画面上の受信状態表示アイコン４８〜５０の表示を更新すると共に、ステップＳ６５で電界強度の強い受信機１１〜１３の受信状態表示アイコン４８〜４９を強調表示する。
【００４６】
続いて、ステップＳ５６でユーザが決定ボタン４３を押すと、ステップＳ５７において受信機選択部１５が電界強度の強い受信機１１〜１３を選択する。これにより、ステップＳ５８として、受信データ取得部２２が、選択された受信機１１〜１３からサブバンドプロファイル別コンテンツ９ｂの取得を開始する。
【００４７】
（受信再生）
受信再生における処理について図１３、図１４、及び、図２５を参照して説明する。
まず、ステップＳ７１として、前記したように選択された受信機１１〜１３から取得したビットストリームＡ又はビットストリームＢが、オーディオデコード部１６においてデコードされる。
デコードは、ステップＳ７２で音声パケットヘッダ解析部３１がビットストリームＡ，Ｂのデコード情報を取得することから始まり、ステップＳ７３のサブバンドプロファイル情報の取得と、取得したサブバンドプロファイル情報のサブバンドプロファイル制御部３７への通知とに続く。
【００４８】
さらに、ステップＳ７４でビットストリームの解析、ステップＳ７５でスケールファクタの復号を行い、ステップＳ７６において逆量子化器３５によりビット情報から数値情報への変換を行う。
一方、ステップＳ７３でサブバンドプロファイル情報を取得したサブバンドプロファイル制御部３７は、ステップＳ７７において、それぞれのサブバンド信号ＳＢ１〜４をどの帯域に割り当てて合成するかを決定する。
ステップＳ７６で変換された数値情報と、ステップＳ７７で決定された合成情報を取得したサブバンドフィルタバンク３６は、ステップＳ７８においてサブバンド信号ＳＢ１〜４を結合させてオーディオデータを再現し、音声信号出力部１７に出力する。そして、ステップＳ７９において、音声信号出力部１７により処理されたオーディオデータがスピーカ１８から出力される。
【００４９】
（受信状態通知）
オーディオコンテンツの聴取中における衛星波等の受信状態の通知について、図１３、図１４、及び、図２６を用いて説明する。
まず、ステップＳ８１で地上波デジタル放送、衛星デジタル放送、携帯電話のそれぞれの受信機１１〜１３が受信する電波の電界強度の測定順番を決定する。測定順番が、例えば、地上波デジタル放送、衛星デジタル放送、携帯電話の順番である場合には、最初にステップＳ８２で地上波デジタル放送の受信機１１が受信する電波の電界強度を測定し、続いてステップＳ８３で衛星デジタル放送の受信機１２が受信する電波の電界強度を測定し、最後にステップＳ８４で携帯電話の受信機１３が受信する電波の電界強度を測定する。
【００５０】
ステップＳ８２からステップＳ８４で各受信機１１〜１３が受信する電波の電界強度を測定したら、ステップＳ８５において各受信機１１〜１３に対応する受信状態表示アイコン４８〜５０を表示部２０の右上に表示する。なお、このときの各受信状態表示アイコン４８〜５０には、それぞれの電界強度がバー（例えば図１５に示すバー４９ａ）の数で模式的に表示されており、ステップＳ８６として電界強度の最も強い電波を受信している受信機１１〜１３の受信状態表示アイコン４８〜５０が強調表示される。
【００５１】
ここで、ステップＳ８７として、地上波デジタル放送の電波が安定した受信が可能な電界強度を有している場合（ＹＥＳ）には、ステップＳ８８に進み、ＬＥＤ４６を消灯し（すでにＬＥＤ４６が消灯している場合には変化は生じない）、ステップＳ７２に戻る。一方、地上波デジタル放送の電波の電界強度が弱く、安定した受信が不可能である場合（ステップＳ８７においてＮＯ）には、ステップＳ８９に進む。
【００５２】
そして、ステップＳ８９では、衛星デジタル放送の電波が安定した受信が可能な電界強度を有しているか否かを判断する。衛星デジタル放送の受信が可能であると判断した場合（ＹＥＳ）は、ステップＳ８８を経て、ステップＳ８２に戻る。一方、衛星デジタル放送の受信が不可能であると判断した場合（ＮＯ）は、ステップＳ９０に進む。
【００５３】
ステップＳ９０は、携帯電話で電波を安定して受信できるか否かを判断する。携帯電話による受信が可能である場合（ＹＥＳ）は、ステップＳ８８を経て、ステップＳ８２に戻るが、受信が不可能である場合（ＮＯ）は、ステップＳ９１に進み、すべての配信経路が使用不可であるのでＬＥＤ４６を点灯させる。
【００５４】
しかしながら、電界強度の低下は一時的な場合もあるので、ステップＳ９２において、使用不可な状態が一定時間継続したとき（ＹＥＳ）にのみ、ステップＳ９３に進んで、音声、及び／又は、画面表示でユーザに通知する。ここでの一定時間とは、受信端末３に予め設定された値であり、設定されている時間が経過するまでは、ステップＳ９２からステップＳ８２に戻り、再度、各受信機１１〜１３の受信状態を検知し、受信可能な受信機１１〜１３を探す。
【００５５】
なお、受信の可否は、前記したように電界強度がそれぞれの受信機１１〜１３に対して設定された閾値よりも小さいか否かにより判断することもできるし、音声パケットヘッダのＣＲＣビット信号を調べることでエラー率をカウントし、エラー率が一定値を越えるか否かで判断することもできる。電界強度により受信機１１〜１３を切り替える場合には、データの欠落が起きた場合だけでなく、データの欠落を未然に防止することが可能になる。エラー率をカウントする場合には、データの欠落が生じるが、受信端末３はバッファに蓄積したデータを数秒遅れで出力する構成を有しているので、ユーザが聴取するオーディオコンテンツに音切れが発生することはない。
【００５６】
このような受信端末３によれば、複数のうちから特定の配信経路を適宜選択することで、配信経路ごとの電波状態に左右されずに、音切れなく、オーディオコンテンツを再生することが可能になる。特に、受信状態識別手段１４が測定した受信電波の電界強度に基づいて受信機選択部１５が自動的に受信機１１〜１３を切り替えることで、音切れがユーザに与えるストレスの発生を防止できる。また、配信経路ごとに品質の異なるビットストリームＡ，Ｂに関する情報をプログレシブ配信テーブル２４ｃ、サブプロファイル定義テーブル２４ｄを取得し、記憶しておくことで、配信経路を切り替えた場合であっても速やかにデコード処理を行うことができる。
【００５７】
さらに、表示部２０及び入出力インターフェイス部２１を備え、チャンネルリスト２４ｅの表示や、オーディオコンテンツに関する情報のテキスト表示、配信経路ごと受信状態表示アイコン４８〜５０の表示を行うことで、ユーザに必要な情報を的確に提供することが可能になる。特に、受信状態表示アイコン４８〜５０は、配信経路が複数ある場合に煩雑になる電波の受信状態の確認や、選択された配信経路の確認を、ユーザに瞬時に行わせることが可能になる。また、このように認識の容易な受信状態表示アイコン４８〜５０を確認しながら配信経路の選択をユーザに行わせることで、最低限の操作で必要な処理を行うことが可能になる。このような操作性の向上は、音声ガイダンス機能を追加すると、さらに実効を図ることができる。
【００５８】
なお、本発明は前記の実施形態に限定されずに、広く応用することができる。
例えば、コンテンツ配信局１は、地上波デジタル放送の放送施設、衛星デジタル放送アップリンク施設、及び、携帯電話基地局を含んで構成されても良いし、これらの少なくとも一つを含んで構成されても良い。この場合は、コンテンツ配信局１の配信処理部８においてビットストリームＡ，Ｂを伝送波に重畳させて、多重化する。また、衛星デジタル波放送用のビットストリームＡには映像情報を付加しても良い。
また、配信経路は、衛星デジタル放送と、携帯電話放送のみを配信経路とすることもできるし、その他のデジタル方式の配信経路であっても良い。さらに、ビットストリームＡ、ビットストリームＢの他に品質の異なるビットストリームＣを生成し、衛星デジタル放送、地上波デジタル放送、及び、携帯電話によるオーディオコンテンツの配信を配信経路ごとに異なるビットストリームからなるサブプロファイル別コンテンツ９ｂとしても良い。
【００５９】
受信端末３は、自動車２に搭載された端末に限定されずにＰＤＡ（Personal Data Assistant）端末や、ノート型パソコンであっても良い。また、前記したように衛星波デジタル放送で配信されるビットストリームＡに映像情報が付加されている場合は、受信機選択部１５の選択にかかわらず、映像情報を抽出し、表示部２０に表示するように構成しても良い。これは受信端末３が自動車２のカーナビゲーションシステムとして使用される場合等に有効である。さらに、受信端末３に受信したオーディオコンテンツを蓄積する蓄積手段を備え、全ての配信経路が受信不可となった場合には、蓄積手段をコンテンツＩＤを基に検索して出力することで、オーディオコンテンツの音切れを防止する構成であっても良い。なお、受信機１１〜１３を受信端末３側で自動的に切り替える場合には、一定時間ごとに、切り替え前の受信機１１〜１３の電波の受信状態を検査して、その受信機１１〜１３の受信状態が受信可能なレベルに戻った場合には、元の受信機１１〜１３に戻れるように構成することが望ましい。
【００６０】
【発明の効果】
本発明は、特定のオーディオコンテンツから異なる品質のビットストリームを生成し、ユーザの受信端末に向けて配信させることで、電波の状態によらず、オーディオコンテンツを確実に配信させることができる。
また、本発明は、品質の異なるビットストリームを複数の配信経路から選択的に受信可能にし、かつ、一つの配信経路の電波状態が不良になった場合に配信経路を切り替えることで、電波障害等による音切れである瞬断を防止できる。さらに、このような配信経路の切り替えを視覚的に認識できるようにすることで操作の容易さや安定性を向上させることができる。
【図面の簡単な説明】
【図１】本発明の実施形態におけるコンテンツ配信局と受信端末を含むデジタル放送システムの全体構成を示す図である。
【図２】本発明の実施形態におけるコンテンツ配信局の構成図である。
【図３】オーディオエンコード部のブロック図である。
【図４】ビットストリームの生成過程を説明する概念図である。
【図５】（ａ）、（ｂ）ビットストリームの構成を示す図である。
【図６】ビットストリームを構成する音声パケットヘッダの構成を示す図である。
【図７】コンテンツ配信局で作成されるプログレシブ配信テーブルを示す図である。
【図８】コンテンツ配信局で作成されるサブバンドプロファイル定義テーブルを示す図である。
【図９】コンテンツ配信局で作成されるチャンネルリストを示す図である。
【図１０】コンテンツ配信局でのエンコード処理のフローチャートである。
【図１１】コンテンツ配信局が行うコンテンツ配信処理のフローチャートである。
【図１２】コンテンツ配信局がテーブル配信を行う場合のフローチャートである。
【図１３】本発明の実施形態における受信端末の構成図である。
【図１４】受信端末のオーディオデコード部のブロック図である。
【図１５】受信端末の表示部及び入出力インターフェイス部を示す図である。
【図１６】  受信端末の表示部及び入出力インターフェイス部を示す図である。
【図１７】表示部に受信状態通知設定ダイアログが表示された状態を示す図である。
【図１８】受信端末の表示部及び入出力インターフェイス部を示す図である。
【図１９】表示部にテキスト情報が表示されている状態を示す図である。
【図２０】表示部にテキスト情報が表示されている状態を示す図である。
【図２１】表示部に警告が表示された状態を示す図である。
【図２２】受信端末の起動時の処理を示すフローチャートである。
【図２３】受信端末での設定変更のフローチャートである。
【図２４】受信端末での選局時の処理を示すフローチャートである。
【図２５】受信端末での受信再生処理を示すフローチャートである。
【図２６】受信端末における受信状態通知の処理を示すフローチャートである。
【符号の説明】
１      コンテンツ配信局
２      自動車（移動体）
３      受信端末
５      オーディオエンコード部
９ｂ    サブバンドプロファイル別コンテンツ
９ｃ    プログレシブ配信テーブル
９ｄ    サブバンドプロファイル定義テーブル
１１    地上波デジタル受信機
１２    衛星波デジタル受信機
１３    携帯電話受信機
１４    受信状態識別手段
１５    受信機選択部
１６    オーディオデコード部
２０    表示部
４８，４９，５０  受信状態表示アイコン
２１    入出力インターフェイス部
３６，５１    サブバンドフィルタバンク
５２    量子化器
５５    心理聴覚モデル
３７，５８    サブバンドプロファイル制御部
【図１】
0004088096.tif 000002
【図２】
0004088096.tif 000003
【図３】
0004088096.tif 000004
【図４】
0004088096.tif 000005
【図５】
0004088096.tif 000006
【図６】
0004088096.tif 000007
【図７】
0004088096.tif 000008
【図８】
0004088096.tif 000009
【図９】
0004088096.tif 000010
【図１０】
0004088096.tif 000011
【図１１】
0004088096.tif 000012
【図１２】
0004088096.tif 000013
【図１３】
0004088096.tif 000014
【図１４】
0004088096.tif 000015
【図１５】
0004088096.tif 000016
【図１６】
0004088096.tif 000017
【図１７】
0004088096.tif 000018
【図１８】
0004088096.tif 000019
【図１９】
0004088096.tif 000020
【図２０】
0004088096.tif 000021
【図２１】
0004088096.tif 000022
【図２２】
0004088096.tif 000023
【図２３】
0004088096.tif 000024
【図２４】
0004088096.tif 000025
【図２５】
0004088096.tif 000026
【図２６】
0004088096.tif 000027